(57)【要約】【課題】発光領域内において発光ダイオードの配置が疎となる部分を生じにくいＬＥＤ発光パネルを提供する。【解決手段】発光領域６は、輪郭線が水平方向を基調とする横基調の小領域１２と、輪郭線が垂直方向を基調とする縦基調の小領域１２との２種類の小領域１２に分割され、小領域１２ごとに発光領域６の輪郭線の少なくとも一部に直交する方向に延長されて小領域１２を横断する仮想線１７が所定の間隔で設定される。仮想線１７の延長方向は、縦基調の小領域１２では横方向、横基調の小領域１２では縦方向となるように小領域１２ごとに決定される。発光ダイオード２は、仮想線１７の端部において発光領域６の輪郭線に沿って配置されるように予め規定されている許容範囲内のピッチで仮想線１７上に配列されている。【選択図】図１
2008292959.tif 000002
【特許請求の範囲】
【請求項１】
複数の発光ダイオードと、一表面側に発光ダイオードが配置される発光領域を有したパネル部とを備え、発光領域が発光ダイオード複数個分の幅寸法を有する線により任意形状に形成されており、複数の発光ダイオードを一斉に発光させることで前記発光領域の形状に発光するＬＥＤ発光パネルであって、パネル部は、発光領域を延長方向に分割して成る複数の小領域を有し、小領域ごとに発光領域の輪郭線の少なくとも一部に直交する方向に延長されて小領域を横断する仮想線が所定の間隔で設定されており、仮想線の延長方向は小領域ごとに決定され、発光ダイオードは、仮想線の端部において発光領域の輪郭線に沿って配置されるように予め規定されている許容範囲内のピッチで仮想線上に配列されていることを特徴とするＬＥＤ発光パネル。
【請求項２】
前記パネル部は、前記発光領域の輪郭線上において接線が予め定められた基準線と所定の基準角度で交差する各点をそれぞれ起点とし、互いを結ぶ直線が発光領域内を通り且つ互いの距離が最短である一対の起点同士を結ぶ分割線を境界として前記小領域に分割されることを特徴とする請求項１記載のＬＥＤ発光パネル。
【請求項３】
前記分割線は、２つの線分からなり、一方の線分は、一方の前記起点から前記発光領域の輪郭線の法線に沿って延出されたものであり、他方の線分は、他方の起点から前記基準線と平行または直交するように延出されたものであることを特徴とする請求項２記載のＬＥＤ発光パネル。
【請求項４】
前記基準角度は４５度であることを特徴とする請求項２または請求項３に記載のＬＥＤ発光パネル。
【請求項５】
前記発光ダイオードは、前記パネル部の前記小領域に外接し一辺が小領域内の前記仮想線に平行する矩形状の仮想枠のうち前記一辺に隣接する他辺の長さ寸法を、予め規定されている前記許容範囲内のピッチで除して求まる列数で配置されていることを特徴とする請求項１ないし請求項４のいずれか１項に記載のＬＥＤ発光パネル。
【発明の詳細な説明】
【技術分野】
【０００１】
本発明は、複数の発光ダイオードを光源として用い、発光ダイオード複数個分の幅寸法を有する線で文字等を表した発光領域の形状に発光可能なＬＥＤ発光パネルに関するものである。
【背景技術】
【０００２】
近年、発光ダイオードを光源として用いた装置が多く提供されており、その一例として、看板のように建物の外壁に取り付けられ、線で表された文字や図柄を発光表示するＬＥＤ発光パネルが提案されている（たとえば特許文献１参照）。この種のＬＥＤ発光パネルは、複数の発光ダイオードと、一表面側に発光ダイオードが配置される発光領域を有したベース体とを備え、複数の発光ダイオードを一斉に発光させることで発光領域の形状に発光する。
【０００３】
また、このように複数の発光ダイオードを配列する場合において、隣り合う発光ダイオードの特性を略同一としばらつきを発生させないための技術も知られている（たとえば特許文献２参照）。これにより、複数の発光ダイオードを配列して文字等を表示する場合でも、文字等を形づくる発光領域内でばらつきが少なく、ネオン管などの単一の光源を用いる場合に近い発光特性を得ることができる。
【０００４】
ところで、遠方からでも視認可能なように表示する文字等を大型化する場合、発光ダイオード複数個分の幅寸法を有する線により発光領域を形成することで、文字等を表す線を太くすることが一般的である。たとえば、図６（ａ）に示すように「ｓｎｃｏａｉ」という各文字を表示するＬＥＤ発光パネル１の場合、発光領域６に配置される複数の発光ダイオード２は、発光領域６の幅方向に複数個ずつ並ぶように配置される。ここで、発光領域６内での発光ダイオード２の配置は、縦横に等間隔で複数個ずつ配列されたマトリクス状とされており、この配置によれば、隣り合う発光ダイオード２間の距離が均等になる。
【０００５】
また、マトリクス状の配置に代えて、図６（ｂ）に示すように発光領域６の輪郭線に沿って発光ダイオード２を配置することも考えられる。この場合、発光ダイオード２は発光領域６の輪郭線で囲まれた全域に極力均等に配置されるように、輪郭線に直交する方向に等間隔で複数列配置される。
【特許文献１】特開２００５−１２８２０６号公報
【特許文献２】特開２００４−０４７６２０号公報
【発明の開示】
【発明が解決しようとする課題】
【０００６】
しかし、図６（ａ）のように発光ダイオード２をマトリクス状に配置する構成や、図６（ｂ）のように発光領域６の輪郭線に沿って複数列の発光ダイオード２を配列する構成においては、発光領域６内に発光ダイオード２の配置が疎となる部分を生じる可能性が高い。すなわち、図６（ａ）の例では、発光領域６の輪郭線がマトリクスの行および列に対して傾いている場合や、発光領域６の輪郭線が曲線である場合に、マトリクス状に並んだ発光ダイオード２でこれらの輪郭線を表現することはできず、発光領域６のうち輪郭線付近に発光ダイオード２の配置が疎となる部分を生じることになる。図６（ｂ）の例では、発光領域６の輪郭線に沿って発光ダイオード２を配置することができるものの、発光領域６において輪郭線から離れた中央部では発光ダイオード２の配置が疎となる部分を生じることがある。
【０００７】
このように発光領域６内に発光ダイオード２の配置が疎となる部分があると、発光ダイオード２を発光させても発光しない部分が発光領域６内に生じ、発光領域６の形状どおりの発光表示を実現できないこととなる。その結果、発光領域６の表す文字等が認識されにくくなったり、見映えが悪くなったりするという問題がある。
【０００８】
本発明は上記事由に鑑みて為されたものであって、発光領域内において発光ダイオードの配置が疎となる部分を生じにくいＬＥＤ発光パネルを提供することを目的とする。
【課題を解決するための手段】
【０００９】
請求項１の発明では、複数の発光ダイオードと、一表面側に発光ダイオードが配置される発光領域を有したパネル部とを備え、発光領域が発光ダイオード複数個分の幅寸法を有する線により任意形状に形成されており、複数の発光ダイオードを一斉に発光させることで発光領域の形状に発光するＬＥＤ発光パネルであって、パネル部は、発光領域を延長方向に分割して成る複数の小領域を有し、小領域ごとに発光領域の輪郭線の少なくとも一部に直交する方向に延長されて小領域を横断する仮想線が所定の間隔で設定されており、仮想線の延長方向は小領域ごとに決定され、発光ダイオードは、仮想線の端部において発光領域の輪郭線に沿って配置されるように予め規定されている許容範囲内のピッチで仮想線上に配列されていることを特徴とする。
【００１０】
この構成によれば、発光ダイオードは、仮想線の端部において発光領域の輪郭線に沿って配置されるように予め規定されている許容範囲内のピッチで仮想線上に配列されているので、発光領域の輪郭線に沿って発光ダイオードが配置されることで、発光領域の輪郭線付近に発光ダイオードの配置が疎となる部分を生じにくくなり、また、仮想線上に許容範囲内のピッチで発光ダイオードが配置されることで、発光領域のうち輪郭線から離れた中央部においても発光ダイオードの配置が疎となる部分を生じにくくなる。要するに、発光領域の全域において発光ダイオードを略均等に配置することができ、発光領域内に発光ダイオードの配置が疎となる部分を生じにくくなる。結果的に、発光ダイオードを発光させたときに発光領域内に発光しない部分が生じにくく、発光領域の形状どおりの発光表示を実現することができるから、発光領域の表す文字等が認識されやすくなり、見映えもよくなるという利点がある。
【００１１】
請求項２の発明は、請求項１の発明において、前記パネル部が、前記発光領域の輪郭線上において接線が予め定められた基準線と所定の基準角度で交差する各点をそれぞれ起点とし、互いを結ぶ直線が発光領域内を通り且つ互いの距離が最短である一対の起点同士を結ぶ分割線を境界として前記小領域に分割されることを特徴とする。
【００１２】
この構成によれば、発光領域の輪郭線上において接線が基準線と所定の基準角度で交差する起点同士を結ぶ分割線によって発光領域が小領域に分割されるので、発光領域は、基準線に対する輪郭線の角度に応じて小領域に分割されることになる。したがって、発光領域の輪郭線に曲線が含まれている場合でも、規則的に発光領域を小領域に分割することができ、この小領域ごとに仮想線の延長方向が決定されることによって、輪郭線の大部分に略直交する方向に仮想線を設定することができる。結果的に、発光領域の輪郭線に沿って配置される発光ダイオード同士の間隔が仮想線同士の間隔に比べて極端に大きくなることはなく、発光ダイオードの発光時に発光領域の輪郭線を明確に表示できるという利点がある。
【００１３】
請求項３の発明は、請求項２の発明において、前記分割線が、２つの線分からなり、一方の線分が、一方の前記起点から前記発光領域の輪郭線の法線に沿って延出されたものであり、他方の線分が、他方の起点から前記基準線と平行または直交するように延出されたものであることを特徴とする。
【００１４】
この構成によれば、小領域は、それぞれ予め定められた角度を持つ２つの線分からなる分割線を境界とするので、小領域同士の境界付近においても、発光ダイオードが疎または密となることを防止することができる。
【００１５】
請求項４の発明は、請求項２または請求項３に記載の発明において、前記基準角度が４５度であることを特徴とする。
【００１６】
この構成によれば、発光領域は、基準線に対する輪郭線の角度が４５度以上であるか否かに応じて小領域に分割されることになる。すなわち、発光領域は、輪郭線が基準線に平行する方向を基調とする部分と、基準線に直交する方向を基調とする部分との２種類の小領域に分割されることとなり、この小領域ごとに仮想線の延長方向が決定されることによって、輪郭線の大部分に略直交する方向に仮想線を設定することができる。したがって、発光領域の輪郭線に沿って配置される発光ダイオード同士の間隔が仮想線同士の間隔に比べて極端に大きくなることはなく、発光ダイオードの発光時に発光領域の輪郭線を明確に表示できるという利点がある。
【００１７】
請求項５の発明は、請求項１ないし請求項４のいずれかの発明において、前記発光ダイオードが、前記パネル部の前記小領域に外接し一辺が小領域内の前記仮想線に平行する矩形状の仮想枠のうち前記一辺に隣接する他辺の長さ寸法を、予め規定されている前記許容範囲内のピッチで除して求まる列数で配置されていることを特徴とする。
【００１８】
この構成によれば、仮想線の長手方向における発光ダイオード同士の間隔だけでなく、仮想線の幅方向における発光ダイオード同士の間隔についても、予め規定されている前記許容範囲内のピッチとすることができるので、発光領域の全域に対して略等間隔で発光ダイオードを配置することが可能となる。
【発明の効果】
【００１９】
本発明は、発光領域の輪郭線に沿って発光ダイオードが配置されることで、発光領域の輪郭線付近に発光ダイオードの配置が疎となる部分を生じにくくなり、また、仮想線上に許容範囲内のピッチで発光ダイオードが配置されることで、発光領域のうち輪郭線から離れた中央部においても発光ダイオードの配置が疎となる部分を生じにくくなるので、発光領域の全域において発光ダイオードを略均等に配置することができ、発光領域内に発光ダイオードの配置が疎となる部分を生じにくくなるという利点がある。
【発明を実施するための最良の形態】
【００２０】
本実施形態のＬＥＤ発光パネルは、看板のように建物の外壁に取り付けられ、線で表された文字や図柄を発光表示するものである。本実施形態では、図２（ｂ）に示すように「ｓｎｃｏａｉ」という文字を表示するＬＥＤ発光パネルを例示する。
【００２１】
このＬＥＤ発光パネル１は、文字ごとに、図３に示すように、複数の発光ダイオード２と、これら複数の発光ダイオード２が取り付けられる薄箱状の筐体３とを備えている。筐体３は、前面開口のボディ４と、ボディ４の前面に覆着される板状のパネル部５とを有し、一表面（前面）側に発光ダイオード２が配置される発光領域６を有している。なお、本実施形態では、発光ダイオードチップ（図示せず）を基板（図示せず）に搭載し、レンズ７を有したパッケージ８にて発光ダイオードチップを封止した所謂ＬＥＤモジュールを発光ダイオード２として用いるが、発光ダイオード２はこの構成に限るものでなく、たとえばリードフレーム上に発光ダイオードチップを搭載して砲弾レンズでパッケージングした所謂砲弾型ＬＥＤや、発光ダイオードチップそのものを発光ダイオード２として用いるようにしてもよい。
【００２２】
発光領域６は、発光ダイオード２の複数個分の幅寸法を有する線により任意形状に形成されているものであって、図３の例では「ｃ」の文字を形づくっている。ここで、筐体３は発光領域６の形状に合わせて形成されており、したがって、パネル部５の前面全域が発光領域６となる。パネル部５には、発光ダイオード２のレンズ７を挿入可能な配置孔９が複数貫設されており、発光ダイオード２は、パネル部５の背面側から配置孔９に挿入されることによりレンズ７をパネル部５の前面側に露出させる。なお、発光ダイオード２からの光をパネル部５の前面で反射させることにより、パネル部５の前面全域が光って見えるようにしてもよい。
【００２３】
ボディ４は、パネル部５と同形状の背板１０と、背板１０の外周縁の全周から前方に立設された周壁１１とを具備し、パネル部５との間に、発光ダイオード２に電力供給するための電源部（図示せず）および配線（図示せず）や、発光ダイオード２におけるレンズ７以外の部分を収納する空間を形成する。ここでは、発光ダイオード２や電源部等を筐体３内で固定する部材の図示は省略する。ＬＥＤ発光パネル１は、ボディ４の背板１０の背面を施工面（ここでは建物の外壁表面）に対向させる形で、固定部材（図示せず）を用いて取り付けられる。ボディ４の周壁１１は、パネル部５に対して隙間なく結合されることにより雨水などの水が筐体３内に入ることを防止している。また、発光ダイオード２の光がパネル部５の側方に広がることを防止するため、パネル部５の前面の全周からボディ４の周壁１１が前方に突出するように周壁１１の高さ寸法を設定してもよい。
【００２４】
なお、ここでは図３に示すように「ｃ」の文字を表すＬＥＤ発光パネル１について構造を説明したが、他の文字を表すＬＥＤ発光パネル１においても基本的な構造は同様である。
【００２５】
ところで、本実施形態のＬＥＤ発光パネル１は、遠方からでも視認可能なように表示する文字を比較的大型としたものであって、発光ダイオード２の複数個分の幅寸法を有する線により発光領域６を形成することで、文字等を表す線を太くしてある。ここにおいて、発光領域６内における発光ダイオード２の配置に関しては様々な形態が考えられるが、本実施形態では、発光ダイオード２を以下に説明する方法で決定される配置とすることによって、発光領域６内において発光ダイオード２の配置が疎となる部分が生じにくいものとしている。
【００２６】
本実施形態では、コンピュータを用いて発光ダイオード２の配置を決定しており、上述のように「ｓｎｃｏａｉ」という各文字の形状の発光領域６とする場合には、「ｓｎｃｏａｉ」という各文字の形状を実際にＬＥＤ発光パネル１に採用する書体でコンピュータに取り込む。紙面上に表示した「ｓｎｃｏａｉ」という文字像をスキャナで読み込むようにしてもよい。取り込まれた発光領域６の形状は、白と黒の２値データに変換される。
【００２７】
次に、発光領域６を独立した発光領域６に分割する発光領域分割処理を行う。つまり、「ｓｎｃｏａｉ」という６文字分の発光領域６がある場合、「ｓ」、「ｎ」、「ｃ」、「ｏ」、「ａ」、「ｉ」の６つの発光領域６に分割し、さらに「ｉ」について「・」の部分と残りの部分とに分割することで、合計７つの独立した発光領域６に分割する。これから後は、分割後の発光領域６のそれぞれについて発光ダイオード２の配置を決めることになる。以下、「ａ」の発光領域６を例として発光ダイオード２の配置を決定する方法を説明するが、他の発光領域６についても同様の方法で発光ダイオード２の配置が決定される。
【００２８】
まず、図４に示すように「ａ」の発光領域６を延長方向において複数の小領域１２に分割する小領域分割処理を行う。具体的には、ＬＥＤ発光パネル１を設置した状態での横方向（水平方向）に延長された基準線１３を予め定めた上で、発光領域６の輪郭線上において接線１４が基準線１３と所定の基準角度θ１で交差する各点をそれぞれ起点１５として抽出する。ここで、基準角度θ１は予め定められた角度であって、本実施形態では４５度としてある。そして、抽出された起点１５のうち、互いを結ぶ直線が発光領域６内を通り且つ互いの距離が最短である一対の起点１５同士を結ぶ線を分割線１６として、当該分割線１６を境界として発光領域６を複数の小領域１２に分割する。これにより、発光領域６は、基準線１３に対する輪郭線の角度が４５度以上であるか否かに応じて小領域１２に分割されることになる。すなわち、発光領域６は、輪郭線が水平方向（基準線１３に平行する方向）を基調とする小領域（以下、横基調の小領域という）１２と、垂直方向（基準線に直交する方向）を基調とする小領域（以下、縦基調の小領域という）１２との２種類の小領域１２に分割されることとなる。図４の例では、「ａ」の文字を形づくる発光領域６は、６つの小領域１２に分割される。
【００２９】
ここで、一対の起点１５間を結ぶ分割線１６は、２つの線分からなり、一方の線分が一方の起点１５から発光領域６の輪郭線の法線に沿って延出されており、他方の線分が他方の起点１５から基準線１３と平行または直交するように延出されている。なお、上述のように小領域１２に分割する処理は、発光領域６の輪郭線の傾きを検出するソフトウェアを利用して実現することができる。
【００３０】
続いて、図５に示すように発光ダイオード２の配列の基準となる仮想線１７を小領域１２ごとに設定する仮想線設定処理を行う。仮想線１７は、小領域１２ごとに発光領域６の輪郭線の少なくとも一部に直交する方向に延長されて小領域１２を横断するように複数本ずつ設定される。仮想線１７の延長方向は、縦基調の小領域１２では横方向、横基調の小領域１２では縦方向となるように小領域１２ごとに決定される。各小領域１２に設定される仮想線１７の本数は、小領域１２に外接し一辺が仮想線１７に平行する矩形（長方形あるいは正方形）状の仮想枠（図示せず）のうち前記一辺に隣接する他辺の長さ寸法を、予め規定されている許容範囲内のピッチで除することにより求められる。
【００３１】
具体的には、横基調の小領域１２の場合、仮想枠の横幅を予め規定されている目標ピッチで除することにより求まる数だけ小領域１２に仮想線１７を設定する。ここで、求まる数が整数でなければ、小数点以下を繰り上げあるいは切り捨てることにより整数化し、小数点以下を繰り上げるか切り捨てるかは、整数化後の本数が仮想線１７を予め規定されている許容範囲内のピッチ（たとえば目標ピッチから目標ピッチの１０％増までの範囲）で配置可能なものとなるように決定される。仮想線１７の本数が決まれば、仮想枠内において横方向にＸ軸、縦方向にＹ軸をとり、仮想線１７の実際のピッチに従って、仮想枠内での各仮想線１７のＸ座標を計算する。要するに、仮想枠の左下の角の座標を（Ｘ，Ｙ）＝（０，０）とし、仮想枠内の仮想線１７に左端から順に１，２，３…となる列番号を割り当てたときには、仮想枠内での各仮想線１７のＸ座標は、
Ｘ＝｛（仮想枠の横幅）／（仮想線の本数−１）｝×（列番号−１）
で求められる。このように求まる各Ｘ座標を通り、且つＹ軸に平行な線分をそれぞれ仮想線１７として小領域１２の内側に設定する。
【００３２】
なお、縦基調の小領域１２についても同様であって、仮想枠内での各仮想線１７のＹ座標を計算し、求められた各Ｙ座標を通り、且つＸ軸に平行な線分をそれぞれ仮想線１７として小領域１２内に設定する。
【００３３】
次に、図１に示すように小領域１２ごとに設定した仮想線１７に従って発光ダイオード２の配置を決定する配置決定処理を行う。ここで、発光ダイオード２は各仮想線１７上に配列されることにより、仮想線１７の幅方向における配置が規定される。また、各仮想線１７上に配列する発光ダイオード２の個数は、それぞれ仮想線１７の長さ寸法を前記許容範囲内のピッチで除することにより求められる。具体的には、仮想線１７の長さ寸法を予め規定されている目標ピッチで除することにより求まる数だけ仮想線１７上に発光ダイオード２を配置する。ここで、求まる数が整数でなければ、小数点以下を繰り上げあるいは切り捨てることにより整数化し、小数点以下を繰り上げるか切り捨てるかは、整数化後の個数が発光ダイオード２を予め規定されている許容範囲内のピッチ（たとえば目標ピッチから目標ピッチの１０％増までの範囲）で配置可能なものとなるように決定される。発光ダイオード２の個数が決まれば、仮想線１７における長手方向の両端部にそれぞれ発光ダイオード２が配置され、且つ仮想線１７上に許容範囲内のピッチで発光ダイオード２が並ぶように、仮想線１７の長手方向における発光ダイオード２の配置を決定する。
【００３４】
ここにおいて、仮想線１７は小領域１２の内側に設定されているから、小領域１２の外周（つまり、発光領域６の輪郭線あるいは分割線１６）と各仮想線１７との交点がそれぞれ仮想線１７の始点または終点となり、したがって、発光ダイオード２は各仮想線１７の端部において発光領域６の輪郭線に沿って配置されることとなる。なお、各仮想線１７上の長手方向における発光ダイオード２間のピッチの許容範囲は、上述した仮想線１７間のピッチの許容範囲（たとえば目標ピッチから目標ピッチの１０％増までの範囲）と同じ範囲に規定されており、これにより、仮想線１７の長手方向と幅方向とで発光ダイオード２間のピッチを略均一に揃えることができる。
【００３５】
また、本実施形態では、小領域１２の外周と各仮想線１７との交点をそれぞれ仮想線１７の始点または終点としているが、互いに隣接する小領域１２の仮想線１７同士が分割線１６付近で交わる場合には、仮想線１７と分割線１６との交点に代えて、仮想線１７同士の交点を各仮想線１７の始点または終点としてもよい。これにより、分割線１６付近に仮想線１７の始点または終点が集中して、発光ダイオード２が密に配置されてしまうことを回避できる。
【００３６】
以上説明した方法により、図２（ａ）に示すように、「ｓｎｃｏａｉ」の全ての文字の発光領域６に関して、コンピュータ上で発光ダイオード２の配置を決定することができる。図２（ｂ）には、上述の方法で決定した発光ダイオード２の配置に従って、パネル部５の発光領域６に発光ダイオード２を配置したＬＥＤ発光パネル１を示す。
【００３７】
上述した構成のＬＥＤ発光パネル１によれば、発光ダイオード２は、仮想線１７の端部において発光領域６の輪郭線に沿って配置されるように予め規定されている許容範囲内のピッチで仮想線１７上に配列されているから、発光領域６の輪郭線に沿って発光ダイオード２が配置されることにより、発光領域６の輪郭線付近に発光ダイオード２の配置が疎となる部分を生じにくくなる。また、仮想線１７上に許容範囲内のピッチで発光ダイオード２が配置されることにより、発光領域６のうち輪郭線から離れた中央部においても発光ダイオード２の配置が疎となる部分を生じにくくなる。したがって、発光領域６の全域において発光ダイオード２を略均等に配置することができ、発光領域６内に発光ダイオード２の配置が疎となる部分を生じにくくなり、結果的に、従来構成と比較して、発光ダイオード２を発光させたときに発光領域６内に発光しない部分が生じにくく、発光領域６の形状どおりの発光表示を実現することができるから、発光領域６の表す文字等が認識されやすくなり、見映えもよくなるという利点がある。さらに、本実施形態では、仮想線１７の延長方向を縦方向と横方向とのいずれかとしたことにより、発光ダイオード２が縦方向（垂直方向）と横方向（水平方向）のいずれかに沿って規則的に配列されるから、ＬＥＤ発光パネル１の製造時における発光ダイオード２の配列作業が簡単であり、且つ発光ダイオード２の発光時の見映えがよいという利点もある。
【００３８】
なお、本実施形態では、発光領域６を縦基調と横基調との２種類の小領域１２に分割しているが、発光領域６をより多くの小領域１２に分割するようにしてもよく、この場合、仮想線１７は、縦方向または横方向に延長されるものに限らず、発光領域６の輪郭線の少なくとも一部に直交する方向に延長されて小領域１２を横断するように、小領域１２ごとに延長方向が決定される。
【図面の簡単な説明】
【００３９】
【図１】本発明の実施形態における発光ダイオードの配置を示す説明図である。
【図２】同上の発光ダイオードの配置を示し、（ａ）は発光領域の概略図、（ｂ）はＬＥＤ発光パネルの概略図である。
【図３】同上のＬＥＤ発光パネルの構造を示す分解斜視図である。
【図４】同上の発光ダイオードの配置を決定する方法の説明図である。
【図５】同上の発光ダイオードの配置を決定する方法の説明図である。
【図６】従来例を示す概略図である。
【符号の説明】
【００４０】
１  ＬＥＤ発光パネル
２  発光ダイオード
５  パネル部
６  発光領域
１２  小領域
１３  基準線
１４  接線
１５  起点
１６  分割線
１７  仮想線
θ１  基準角度
【図１】
2008292959.tif 000003
【図２】
2008292959.tif 000004
【図３】
2008292959.tif 000005
【図４】
2008292959.tif 000006
【図５】
2008292959.tif 000007
【図６】
2008292959.tif 000008